(57)【特許請求の範囲】
【請求項１】
印刷ジョブを記憶する記憶手段と、
前記記憶手段から順次読み出された印刷ジョブに基づいて、印刷媒体にインクを吐出することにより印刷処理を実行する印刷手段と、
前記吐出されるインクの温度を検出する温度検出手段と、
前記印刷手段が通常速度で印刷処理を実行する通常印字速度設定、前記通常速度より高速に印刷処理を実行する高速印字速度設定、又は前記高速印字速度設定による印刷速度より低速かつ前記通常印字速度設定よる印刷速度より高速であり、前記インクの温度上昇を防止する温度上昇抑制速度設定を設定する設定手段と、
前記記憶手段に記憶された印刷ジョブの前記印刷処理を完了するまでの時間が所定の待機上限時間より長く、前記温度検出手段により検出されたインクの温度が安定的に吐出可能な上限温度以下であると判定した場合、前記設定手段に前記高速印字速度設定を設定させ、前記記憶手段に記憶された印刷ジョブの前記印刷処理を完了するまでの時間が所定の待機上限時間より長く、前記温度検出手段により検出されたインクの温度が前記上限温度を超えていると判定した場合、前記設定手段に前記温度上昇抑制速度設定を設定させる制御手段と、
を備えたことを特徴とする印刷装置。
【請求項２】
印刷ジョブを記憶する記憶手段と、
前記記憶手段から順次読み出された印刷ジョブに基づいて、インクを吐出することで印刷媒体に印刷処理を実行する印刷手段と、
前記印刷手段が通常速度で印刷処理を実行する通常印字速度設定、又は前記通常速度より高速に印刷処理を実行する複数の高速印字速度設定を設定する設定手段と、
前記インクの温度を検出する温度検出手段と、
前記記憶手段に記憶された印刷ジョブの前記印刷処理を完了するまでの時間が所定の待機上限時間より長いと判定した場合、前記温度検出手段によるインク温度に応じて前記設定手段に前記複数の高速印字速度設定のうちの１つを設定させる制御手段と、
を備えたことを特徴とする印刷装置。
【発明の詳細な説明】
【技術分野】
【０００１】
本発明は、印刷用紙に印刷を行う印刷装置に関する。
【背景技術】
【０００２】
一般的に、インクジェット方式が適用されたインクジェット印刷装置は、画像情報や文字情報等の印刷データに基づいて、インクジェットヘッドのノズルからインクを印刷用紙に向けて吐出して画像や文字などを印刷することができ、しかも、多色のインクを使用して印刷用紙上に印刷データをカラーで印刷できるので、家庭用や業務用として普及している。
【０００３】
また、インクジェット印刷装置は、ネットワークに接続され、端末から供給された印刷ジョブに基づいて印刷できるように、ネットワーク内で共有して用いられる場合も多い。
【０００４】
このように、ネットワーク内で共有されたインクジェット印刷装置は、複数の端末から同時に印刷ジョブが供給されることもあり、この場合、全ての印刷ジョブの印刷が完了するまでに相当の時間を要していた。
【０００５】
また、排紙エラー等によって印刷が中断し、インクジェット印刷装置を再起動する必要がある場合、再起動に相当の時間を要し、再起動後、印刷ジョブの印刷が完了するまでに相当の時間を要していた。
【０００６】
特許文献１には、待機状態のときに、プリント命令が出されプリントデータが送られ始めると、直ちに制御部が用紙移送要求信号を出し、用紙をレジスタローラによる整列位置まで移送するプリント装置が提案されている。
【０００７】
特許文献２には、プリント処理にもっとも適した描画モジュールを選択して、複数の印刷ジョブを複数の描画モジュールで並列に処理する画像処理装置が提案されている。
【先行技術文献】
【特許文献】
【０００８】
【特許文献１】特開平７−８９１６２号公報
【特許文献２】特開２００２−２１５３５２号公報
【発明の概要】
【発明が解決しようとする課題】
【０００９】
しかしながら、特許文献１に記載のプリント装置や、特許文献２に記載の画像処理装置では、印刷速度自体は変更されないので、印刷ジョブが集中したり、再起動したりした場合、印刷が完了するまでに相当の時間を要することとなる。
【００１０】
本発明は、上記課題に鑑みてなされたものであり、印刷待機している印刷ジョブに応じて、高速に印刷する印刷装置を提供することを目的とする。
【課題を解決するための手段】
【００１１】
上記目的を達成するため、本発明に係る印刷装置の第１の特徴は、印刷ジョブを記憶する記憶手段と、前記記憶手段から順次読み出された印刷ジョブに基づいて、印刷媒体に印刷処理を実行する印刷手段と、前記印刷手段が通常速度で印刷処理を実行する通常印字速度設定、又は前記通常速度より高速に印刷処理を実行する高速印字速度設定を設定する設定手段と、前記記憶手段に記憶された印刷ジョブの前記印刷処理を完了するまでの時間が所定の待機上限時間より長いと判定した場合、前記設定手段に前記高速印字速度設定を設定させる制御手段と、を備えたことにある。
【００１２】
本発明に係る印刷装置の第２の特徴は、前記制御手段による前記判定は、前記印刷手段による前記印刷処理が中断した後の再起動時に実行されることにある。
【発明の効果】
【００１３】
本発明に係るインクジェット印刷装置の第１の特徴によれば、印刷手段が通常速度で印刷する通常印字速度設定、又は通常速度より高速に印刷するための高速印字速度設定を設定する設定手段と、記憶手段に記憶された印刷ジョブに基づいて印刷手段が印刷完了するまでの時間が所定の待機上限時間より長いと判定した場合、設定手段に高速印字速度設定を設定させる制御手段と、を備えたので、印刷待機している印刷ジョブに応じて、高速に印刷することができる。これにより、印刷待ちによるユーザのストレスを解消することができる。
【００１４】
本発明に係るインクジェット印刷装置の第２の特徴によれば、制御手段による判定は、印刷手段による印刷処理が中断した後の再起動時に実行されるので、再起動後、高速に印刷を行うことができる。
【００１５】
また、前記制御手段は、前記印刷ジョブに基づいて前記印刷手段により印刷が終了する度に、前記設定手段に設定させても良い。この場合、印刷ジョブ単位でタイミング良く速度設定を切り替えることができる。
【図面の簡単な説明】
【００１６】
【図１】本発明の実施例１に係るインクジェット印刷装置の概要を示す図である。
【図２】本発明の実施例１に係るインクジェット印刷装置のインク循環経路関連機構および制御部の機能構成を説明した図である。
【図３】本発明の実施例１に係るインクジェット印刷装置において、高速印字速度設定が設定された場合におけるインクの温度と、印刷枚数の関係の一例を示した図である。
【図４】本発明の実施例１に係るインクジェット印刷装置における印刷ジョブ記憶処理の理手順を示したフローチャートである。
【図５】本発明の実施例１に係るインクジェット印刷装置における印刷速度設定処理の処理手順を示したフローチャートである。
【発明を実施するための形態】
【００１７】
本発明の実施の形態について図面を参照して説明する。
【実施例１】
【００１８】
＜インクジェット印刷装置の構成＞
本発明の実施例１では、多数のノズルが形成されたインクジェットヘッドを複数本備え、それぞれのインクジェットヘッドから黒またはカラーのインクを吐出することにより印刷用紙に印刷を行うと共に、インクジェットヘッドへインクを循環させる循環式のインクジェット印刷装置を例に挙げて説明する。
【００１９】
図１は、本発明の実施例１に係るインクジェット印刷装置１００の概要を示す図である。
【００２０】
図１に示すように、ＣＰＵ等が配置されたコントローラ基板等で構成される制御部１０と、ユーザの操作に基づいて、例えば、メニューを表示したり、印刷開始等の各種操作を要求する操作信号を制御部１０へ供給したりする操作パネル５０とを備えている。
【００２１】
また、インクジェット印刷装置１００は、印刷用紙の供給を行う給紙機構として、筐体側面の外部に露出したサイド給紙台３２０と、筐体内部に設けられた複数の給紙トレイ（３３０ａ、３３０ｂ、３３０ｃ、３３０ｄ）とを備えている。
【００２２】
そして、サイド給紙台３２０および給紙トレイ３３０のいずれかの給紙機構から１枚ずつ給紙された印刷用紙は、ローラ等の駆動機構によって筐体内の給紙系搬送路（図中の黒太線）に沿って搬送され、レジスト部Ｒｇに導かれる。ここでレジスト部Ｒｇは、印刷用紙の先端の位置あわせと斜行修正を行うために設けられており、１対のレジストローラ３５０を備えて構成される。給紙された印刷用紙はレジスト部Ｒｇで一時停止し、所定のタイミングで印字機構方向に搬送される。
【００２３】
レジスト部Ｒｇのさらに搬送方向側には、複数本のインクジェットヘッド１３０が設けられており、レジスト部Ｒｇから順に、Ｃ（シアン）、Ｍ（マゼンタ）、Ｙ（イエロー）、Ｋ（ブラック）の順に配置されている。印刷用紙は、インクジェットヘッド１３０の対向面に設けられた環状の搬送ベルト３６０によって印刷条件により定められる速度で搬送されながら、各インクジェットヘッド１３０から吐出されたインクによりライン単位で印刷される。
【００２４】
また、搬送ベルト３６０の内側には吸引ファン３７０が設けられている。搬送ベルト３６０の表面には多数の通気孔が形成されており、吸引ファン３７０の回転によって生じる吸引力で、印刷用紙は搬送ベルト３６０に吸着されて搬送される。
【００２５】
印刷済の印刷用紙は、さらに、ローラ等の駆動機構によって筐体内を搬送される。印刷用紙の片側の面のみに印刷を行う片面印刷の場合は、そのまま排紙口３４０に導かれて排紙され、排紙口３４０の受台として設けられた排紙台３４５に印刷面を下にして積載される。排紙台３４５は、筐体から突出したトレイ形状をしており、ある程度の厚みを有している。排紙台３４５は傾斜しており、傾斜の下位置に形成された壁により、排紙口３４０から排紙され、傾斜に沿って滑落する印刷用紙が自然に整えられて重なっていくようになっている。
【００２６】
印刷用紙の両面に印刷を行う両面印刷の場合は、表面（最初に印刷される面を「表面」、次に印刷される面を「裏面」とする）印刷終了時には排紙口３４０に導かれずに、さらに筐体内を搬送される。このため、インクジェット印刷装置１００は、裏面印刷用に搬送路を切り替えるための切替機構３８０を備えている。切替機構３８０によって排紙口３４０に導かれなかった印刷用紙は、スイッチバック経路ＳＲに引き込まれ、スイッチバックを行ない、搬送路に対して表裏が反転する。そして、ローラ等の駆動機構によって再度レジスト部Ｒｇに導かれ、一時停止する。その後、所定のタイミングで印字機構方向に搬送され、表面と同様の手順によって裏面の印刷が行なわれる。裏面の印刷が行なわれ、両面に画像が形成された印刷用紙は、排紙口３４０に導かれて排紙され、排紙口３４０の受台として設けられた排紙台３４５に積載されていく。
【００２７】
また、本発明の実施例１に係るインクジェット印刷装置１００は、インクジェットヘッド１３０に供給するインクを循環させる循環方式を採用している。
【００２８】
図２は、本発明の実施例１に係るインクジェット印刷装置１００のインク循環経路関連機構および制御部１０の機能構成を説明した図である。
【００２９】
図２に示すように、インクジェット印刷装置１００は、Ｃ（シアン）、Ｍ（マゼンタ）、Ｙ（イエロー）、Ｋ（ブラック）のインクに対応するインクジェットヘッド１３０Ｃ，１３Ｍ，１３０Ｙ，１３０Ｋを備えており、印刷用紙は、インクジェットヘッド１３０Ｃ，１３Ｍ，１３０Ｙ，１３０Ｋの対向面に設けられた環状の搬送ベルト（図示しない）によって印刷条件により定められる速度で搬送されながら、インクジェットヘッド１３０Ｃ，１３Ｍ，１３０Ｙ，１３０Ｋから吐出されたインクによりライン単位で印刷される。
【００３０】
各インクは着脱可能なインクボトルから供給されるようになっており、シアンのインクを供給するインクボトル１１０Ｃ、マゼンタのインクを供給するインクボトル１１０Ｍ、イエローのインクを供給するインクボトル１１０Ｙ、黒のインクを供給するインクボトル１１０Ｋが備えられている。なお、以下においてインク色にこだわらない場合にはインクボトル１１０で代表させて説明する。他の機能部についても同様である。
【００３１】
インクボトル１１０から供給されたインクは、樹脂、金属等のパイプにより形成されたインク循環経路を通って、インクジェットヘッド１３０の下流側に設けられた下流タンクに一旦溜められる。このため、インクジェット印刷装置１００には、シアンのインクを溜める下流タンク１２２Ｃ、マゼンタのインクを溜める下流タンク１２２Ｍ、イエローのインクを溜める下流タンク１２２Ｙ、黒のインクを溜める下流タンク１２２Ｋが備えられている。
【００３２】
下流タンク１２２に溜められたインクは、ポンプによりインクジェットヘッド１３０の上流側に設けられた上流タンクに送られる。このため、インクジェット印刷装置１００には、ポンプ１７０Ｃ、ポンプ１７０Ｍ、ポンプ１７０Ｙ、ポンプ１７０Ｋおよび上流タンク１２０Ｃ、上流タンク１２０Ｍ、上流タンク１２０Ｙ、上流タンク１２０Ｋが備えられている。上流タンク１２０に送られたインクは、インクを吐出する多数のノズルが設けられているインクジェットヘッド１３０に送液される。
【００３３】
インクジェットヘッド１３０で吐出されなかったインクは、下流タンク１２２に戻される。上流タンク１２０からインクジェットヘッド１３０を経由して下流タンク１２２へのインク帰還は、上流タンク１２０と下流タンク１２２との水頭差を利用している。
【００３４】
インクは印刷品質が保証される温度範囲が定められており、環境温度が低く、インク温度が印刷可能である下限温度を下回っているとインクを加熱する必要がある。このため、インク循環経路中にヒータ１４０が設けられている。一方、インクジェットヘッド１３０内に設けられたドライバやピエゾ素子は動作することにより発熱する。これらの発熱やインク振動のジュール熱により、高温時におけるインク温度上昇の影響等を抑制するために、インク温度が上限温度を超えた場合に、インクを冷却する冷却器１６０が設けられている。
【００３５】
また、インクジェットヘッド１３０毎に、各インク上流タンク１２０から各インクジェットヘッド１３０へインクが流入するそれぞれのインクの温度を測定し、この測定されたインクの温度を所定の時間間隔で制御部１０へ供給する温度計１３４（１３４Ｃ、１３４Ｍ、１３４Ｙ、１３４Ｋ）が設けられている。
【００３６】
さらに、インクジェットヘッド１３０毎に、各インクジェットヘッド１３０から各下流タンク１２２へインクが流出するそれぞれのインクの温度を測定し、この測定されたインクの温度を所定の時間間隔で制御部１０へ供給する温度計１３５（１３５Ｃ、１３５Ｍ、１３５Ｙ、１３５Ｋ）が設けられている。
【００３７】
記憶部２０は、制御部１０の指示により、例えば、図示しないネットワークを介して受信した印刷ジョブを記憶する。
【００３８】
制御部１０は、記憶部２０に記憶された印刷ジョブに基づいて、インクジェット印刷装置１００における印刷処理等の中枢的な処理を制御する機能部である。記憶部２０には、ネットワークを介して複数の端末から印刷ジョブが送信され、多数の印刷ジョブが記憶部２０に記憶される場合もある。
【００３９】
制御部１０は、原則、先入れ先出し方式で印刷ジョブを管理するので、記憶部２０に先に記憶された印刷ジョブから順に読み出し、読み出した印刷ジョブに基づいて、印刷処理を実行する。
【００４０】
そのため、多数の端末から同時に印刷ジョブが供給され、多数の印刷ジョブが記憶部２０に記憶された場合に、通常の印刷速度で印刷処理が実行されると、全ての印刷ジョブの印刷が完了までに相当の時間を要する場合がある。
【００４１】
また、排紙エラー等によって印刷が中断し、インクジェット印刷装置を再起動する必要がある場合に、紙ジャムの発生による復旧処理等により再起動までに相当の時間を要するため、その間に送信された印刷ジョブが滞留することになり、再起動後、通常の印刷速度で印刷処理が実行されると、印刷ジョブの印刷が完了までに相当の時間を要する場合がある。
【００４２】
一方、インクジェット印刷装置は、印刷速度が速くなるに従って、騒音や消費電力が大きくなるので、騒音や消費電力を低減するため、通常の印刷速度として、装置の最速の印刷速度ではなく、印刷速度を低下させた印刷速度が設定されている。例えば、装置の最速の印刷速度で印刷処理を実行すると７０（ｄＢ）、通常の印刷速度で印刷処理を実行すると、６０（ｄＢ）の印刷音が発生する。
【００４３】
そこで、制御部１０は、後述するように、記憶部２０に記憶されている印刷ジョブに応じて、印刷速度を変化させることにより、記憶部２０に多数の印刷ジョブが記憶された場合においても、印刷を完了するまでの時間を短縮することができる。
【００４４】
制御部１０は、その機能上、設定部１１と、機器制御部１２とを備えている。
【００４５】
設定部１１は、インクジェットヘッド１３０が通常速度で印刷する通常印字速度設定、又は通常速度より高速に印刷する高速印字速度設定、又は高速印字速度設定による印刷速度より低速かつ通常印字速度設定による印刷速度より高速の印刷速度でインクジェットヘッド１３０に印刷させる温度上昇抑制速度設定を設定する。
【００４６】
機器制御部１２は、記憶部２０に記憶された印刷ジョブに基づいてインクジェットヘッド１３０が印刷完了するまでの時間が所定の待機上限時間より長いと判定した場合、設定部１１に高速印字速度設定を設定させる。
【００４７】
また、機器制御部１２は、インクジェット印刷装置１００が中断した後の再起動時に、記憶部２０に記憶された印刷ジョブに基づいてインクジェットヘッド１３０が印刷完了するまでの時間が所定の待機上限時間より長いと判定した場合、設定部１１に高速印字速度設定を設定させるようにしてもよい。
【００４８】
さらに、機器制御部１２は、設定部１１により高速印字速度設定が設定されており、温度計１３４（１３４Ｃ、１３４Ｍ、１３４Ｙ、１３４Ｋ）により検出されたインクの温度が所定の上限温度を超えた場合に、設定部１１に温度上昇抑制速度設定を設定させる。
【００４９】
図３は、本発明の実施例１に係るインクジェット印刷装置１００において、高速印字速度設定が設定された場合におけるインクの温度と、印刷枚数の関係の一例を示した図である。
【００５０】
図３に示すように、印刷枚数が増加する程、即ち、印刷処理を継続すると、インクジェットヘッド１３０内に設けられたドライバやピエゾ素子は動作することにより発熱し、これらの発熱やインク振動のジュール熱により、インクの温度は上昇する。
【００５１】
そして、図３に示した例では、１０００（枚）印刷した時点で、インクの温度が上限温度に達する。ここで、上限温度は、インクが適正な粘度となる安定吐出温度領域（２５（℃）〜４２（℃））の範囲の上限値であり、ここでは、４２（℃）である。
【００５２】
そこで、機器制御部１２は、設定部１１により高速印字速度設定が設定されている場合、温度計１３４（１３４Ｃ、１３４Ｍ、１３４Ｙ、１３４Ｋ）により検出されたインクの温度が所定の上限温度である４２（℃）を超えた場合、これ以上、インクの温度が上昇することを防止するために、設定部１１に温度上昇抑制速度設定を設定させる。
【００５３】
機器制御部１２は、印刷ジョブに基づいてインクジェットヘッド１３０により印刷が終了する度に、設定部１１に設定させる。
【００５４】
＜インクジェット印刷装置１００の作用＞
次に、本発明の実施例１であるインクジェット印刷装置１００の作用について説明する。
【００５５】
本発明の実施例１であるインクジェット印刷装置１００は、主に印刷ジョブ記憶処理、及び印刷速度設定処理を行う。そのため、各々の処理について以下に詳細に説明する。
【００５６】
≪印刷ジョブ記憶処理≫
本発明の実施例１に係るインクジェット印刷装置１００における印刷ジョブ記憶処理の処理手順の詳細について説明する。
【００５７】
図４は、本発明の実施例１に係るインクジェット印刷装置１００における印刷ジョブ記憶処理の処理手順を示したフローチャートである。なお、本フローチャートに示した処理手順は、所定時間毎に実行される。
【００５８】
図４に示すように、制御部１０は、例えば、ネットワークを介して接続された端末から印刷ジョブを受信したか否かを判定する（ステップＳ１０１）。
【００５９】
ステップＳ１０１において、印刷ジョブを受信したと判定された場合（ＹＥＳの場合）、制御部１０は、受信した印刷ジョブを記憶部２０に記憶させる（ステップＳ１０３）。
【００６０】
これにより、インクジェット印刷装置１００は、ネットワークを介して接続された端末やスキャナ（図示せず）から印刷ジョブを受信すると、順次、記憶部２０に記憶させることができる。
【００６１】
≪印刷速度設定処理≫
図５は、本発明の実施例１に係るインクジェット印刷装置１００における印刷速度設定処理の処理手順を示したフローチャートである。なお、本フローチャートに示した処理手順は、所定時間毎に実行される。
【００６２】
図５に示すように、制御部１０の機器制御部１２は、印刷完了時間が待機上限時間を超えたか否かを判定する（ステップＳ２０１）。具体的には、機器制御部１２は、記憶部２０に記憶されている全ての印刷ジョブの印刷処理を実行完了するのに要する時間を印刷完了時間として算出する。そして、機器制御部１２は、この算出された印刷完了時間が待機上限時間を超えたか否かを判定する。ここで、待機上限時間は、例えば、１０（分）などのように、予め設定されている。
【００６３】
ステップＳ２０１において、印刷完了時間が待機上限時間以下であると判定された場合（ＮＯの場合）、制御部１０の設定部１１は、通常印字速度設定を設定する（ステップＳ２０３）。具体的には、設定部１１は、給紙台３２０と、複数の給紙トレイ（３３０ａ、３３０ｂ、３３０ｃ、３３０ｄ）から、通常の給紙タイミングで給紙させ、搬送ベルト３６０により通常の搬送速度で印刷用紙を搬送させ、インクジェットヘッド１３０に対して通常の駆動周期の駆動信号を供給することによりインクを吐出させるための通常印字速度設定を設定する。
【００６４】
この場合、実行される印刷ジョブが少ない、即ち、印刷完了までの時間が比較的短いので、利用者は印刷待ちでストレスを感じることが少ないため、通常印刷速度設定にて印刷処理を実行しても何ら問題はない。
【００６５】
一方、ステップＳ２０１において、印刷完了時間が待機上限時間を超えていると判定された場合（ＹＥＳの場合）、機器制御部１２は、検出温度が上限温度を超えているか否かを判定する（ステップＳ２０５）。具体的には、機器制御部１２は、温度計１３４（１３４Ｃ、１３４Ｍ、１３４Ｙ、１３４Ｋ）又は温度計１３５（１３５Ｃ、１３５Ｍ、１３５Ｙ、１３５Ｋ）により測定された温度のうち、いずれか１つの温度を検出温度Ｔとして採取する。なお、これに限らず、温度計１３４と温度計１３５とにより測定された各温度の平均値を算出し、算出した値を検出温度Ｔとして採取するようにしてもよい。
【００６６】
そして、機器制御部１２は、採取した検出温度Ｔが、上限温度ＴＨを越えたか否かを判定する。ここで、上述したように、上限温度ＴＨは、インクが適正な粘度となる安定吐出温度領域（２５（℃）〜４２（℃））の範囲の上限値であり、ここでは、４２（℃）である。
【００６７】
ステップＳ２０５において、検出温度が上限温度以下であると判定された場合（ＮＯの場合）、設定部１１は、高速印字速度設定を設定する（ステップＳ２０７）。具体的には、設定部１１は、給紙台３２０と、複数の給紙トレイ（３３０ａ、３３０ｂ、３３０ｃ、３３０ｄ）から、高速の給紙タイミングで給紙させ、搬送ベルト３６０により高速の搬送速度で印刷用紙を搬送させ、インクジェットヘッド１３０に対して高速印刷に対応する駆動周期の駆動信号を供給することによりインクを吐出させるための高速印字速度設定を設定する。
【００６８】
このように、高速印字速度設定が設定された場合、高速で印刷処理を実行することができるので、例えば、複数の端末から同時に印刷ジョブが供給され、印刷ジョブの印刷が完了までに相当の時間を要する場合や、インクジェット印刷装置を再起動した場合においても、印刷時間を最短にすることができ、利用者のストレスを低減することができる。
【００６９】
一方、ステップＳ２０５において、検出温度が上限温度を超えていると判定された場合（ＹＥＳの場合）、設定部１１は、温度上昇抑制速度設定を設定する（ステップＳ２０９）。具体的には、設定部１１は、給紙台３２０と、複数の給紙トレイ（３３０ａ、３３０ｂ、３３０ｃ、３３０ｄ）から、通常速度以上である中速の給紙タイミングで給紙させ、搬送ベルト３６０により中速の搬送速度で印刷用紙を搬送させ、インクジェットヘッド１３０に対して中速印刷に対応する駆動周期の駆動信号を供給することによりインクを吐出させるための温度上昇抑制速度設定を設定する。
【００７０】
このように、温度上昇抑制速度設定が設定された場合、インクの温度上昇を抑制しながら、通常の印刷速度以上の印刷速度で印刷処理を実行することができるので、利用者のストレスを低減しつつ、インクの温度上昇も抑制することができる。
【００７１】
以上のように、ステップＳ２０３、Ｓ２０７、Ｓ２０９において、印刷完了時間やインクの温度に応じて、印刷速度設定が実行される。
【００７２】
次に、制御部１０の機器制御部１２は、印刷動作を実行する（ステップＳ２１１）。具体的には、機器制御部１２は、設定された印刷速度で、給紙台３２０、又は複数の給紙トレイ（３３０ａ、３３０ｂ、３３０ｃ、３３０ｄ）から印刷用紙を給紙させ、搬送ベルト３６０により印刷用紙を搬送させ、インクジェットヘッド１３０からインクを吐出させる。
【００７３】
そして、機器制御部１２は、実行中の印刷ジョブが終了したか否かを判定する（ステップＳ２１３）。
【００７４】
ステップＳ２１３において、実行中の印刷ジョブが終了したと判定された場合（ＹＥＳの場合）、機器制御部１２は、全ての印刷ジョブが終了したか否かを判定する（ステップＳ２１５）。具体的には、機器制御部１２は、記憶部２０に印刷ジョブが記憶されていない場合、全ての印刷ジョブが終了したと判定する。
【００７５】
このように、印刷ジョブに基づいて印刷が終了する度に、設定部１１が、高速印字速度設定、温度上昇抑制速度設定、又は通常印字速度設定のいずれかを設定するので、印刷ジョブ単位でタイミング良く速度設定を切り替えることができる。
【００７６】
以上のように、本発明の実施例１に係るインクジェット印刷装置１００によれば、インクジェットヘッド１３０が通常速度で印刷する通常印字速度設定、又は通常速度より高速に印刷するための高速印字速度設定を設定する設定部１１と、記憶部２０に記憶された印刷ジョブに基づいてインクジェットヘッド１３０が印刷完了するまでの時間が所定の待機上限時間より長いと判定した場合、設定部１１に高速印字速度設定を設定させる機器制御部１２とを有するので、印刷待機している印刷ジョブに応じて、高速に印刷することができる。
【００７７】
なお、図５のステップＳ２１３にて実行中の印刷ジョブが終了していない場合（ステップＳ２１３：Ｎｏ）には、再びステップＳ２０５に戻りインク温度を監視するようにしたが、これに限らない。例えば、ステップＳ２０５ではなく、ステップＳ２１１に戻るようにし、印刷処理中の印刷ジョブが終了するまでは、設定された印字速度設定を維持するようにしても良い。
【００７８】
なお、本発明の実施例１では、記憶部２０に記憶されている印刷ジョブに基づいて、全ての印刷ジョブの印刷処理を実行完了するのに要する時間を印刷完了時間として算出し、この算出された印刷完了時間が待機上限時間を超えたか否かを判定する機器制御部１２を備える構成としたが、これに限らない。
【００７９】
機器制御部１２は、印刷完了時間として算出することなく、簡易的に、記憶部２０に記憶されている印刷ジョブ数が所定の上限印刷ジョブ数を超えていると判定された場合、印刷完了時間が待機上限時間を超えていると判定するようにしてもよいし、記憶部２０に記憶されている印刷ジョブに基づいて印刷される印刷枚数が所定の上限印刷枚数数を超えていると判定された場合、印刷完了時間が待機上限時間を超えていると判定するようにしてもよい。
【００８０】
また、本発明の実施例１では、高速印字速度設定による印刷速度より低速かつ通常印字速度設定による印刷速度以上の印刷速度でインクジェットヘッド１３０に印刷させるための温度上昇抑制速度設定を設定したが、この温度上昇抑制速度設定は、１つに限らず、複数の温度上昇抑制速度設定が設定可能に構成されていてもよい。
【００８１】
例えば、印刷速度が、高速印字速度＞第２温度上昇抑制速度＞第１温度上昇抑制速度＞通常印字速度となるように、第２温度上昇抑制速度及び第１温度上昇抑制速度を定める。そして、上限温度未満であるプレ上限温度を予め設定しておき、機器制御部１２は、設定部１１により高速印字速度設定が設定されており、温度計１３４（１３４Ｃ、１３４Ｍ、１３４Ｙ、１３４Ｋ）により検出されたインクの温度が所定のプレ上限温度を超えた場合に、設定部１１に第２温度上昇抑制速度を設定させる。それにもかかわらず、さらにインクの温度が上昇し、検出されたインクの温度が所定の上限温度を超えた場合に、設定部１１に第１温度上昇抑制速度を設定させるようにしてもよい。
【００８２】
なお、本発明の実施例１では、インクボトル１１０からインクジェットヘッド１３０に供給されたインクを印刷用紙に向けて吐出することにより画像や文字などを印刷すると共に、供給されたインクをインクボトル１１０に循環する循環式のインクジェット印刷装置１００を例に挙げて説明したが、この循環式のインクジェット印刷装置１００に限らず、全てのインクジェット方式の印刷装置に適用可能である。
【符号の説明】
【００８３】
１０…制御部
１１…設定部
１２…機器制御部
２０…記憶部
５０…操作パネル
１００…インクジェット印刷装置
１３０…インクジェットヘッド
１３４…温度計
１３５…温度計
１４０…ヒータ
１６０…冷却器
３２０…給紙台
３３０…給紙トレイ
３４０…排紙口
３４５…排紙台
３５０…レジストローラ
３６０…搬送ベルト
３７０…吸引ファン
３８０…切替機構
【図１】
0005965208.tif 000002
【図２】
0005965208.tif 000003
【図３】
0005965208.tif 000004
【図４】
0005965208.tif 000005
【図５】
0005965208.tif 000006